(57)【要約】【課題】  マーカーと筆記具を一体に保持できるようにし、取り出し等の使い勝手が便利で、紛失しにくくすることにある。【解決手段】  帽子の庇等に装着されるブラケット１に、マーカー３と筆記具４とを相互に磁着させることにより、或いは面ファスナー７を介して付着させることにより、着脱自在に構成したものであって、一連の動作の中で使用されるマーカー３と筆記具４は、帽子の庇等の同一箇所に装着されているので取り出し易く、紛失してしまうことはなく、スコアカードを汚したり、芯が折れてしまうこともない。【選択図】        図１
2006167012.tif 000002
【特許請求の範囲】
【請求項１】
帽子の庇等に装着されるブラケット（１）に、マーカー（３）と筆記具（４）とを着脱自在に配したことを特徴とするゴルフ用具。
【請求項２】
ブラケット（１）、マーカー（３）、筆記具（４）を相互に磁着させることを特徴とする請求項１に記載のゴルフ用具。
【請求項３】
ブラケット（１）、マーカー（３）、筆記具（４）を相互に面ファスナー（７）を介して付着させることを特徴とする請求項１に記載のゴルフ用具。
【発明の詳細な説明】
【技術分野】
【０００１】
本発明は、ゴルフプレイの際に使用する用具に関する。
【背景技術】
【０００２】
ゴルフプレイにあっては、グリーン芝上に乗ったボールを、払拭し或いは他のプレイヤーの邪魔にならないようにするためにピックアップするに際しては、そのボールの位置をマークする必要がある。また、グリーンでのプレイの終了後のホールアウト時には、速やかにグリーンを離れると共に自己のスコアを申告し、同伴プレイヤーのスコアの申告を聞いて、スコアカードに記載することになる。
【０００３】
通常、ボール位置のマークには例えばコイン状或いは画鋲状のマーカーが用いられ、スコアカードへのスコアの記載は鉛筆等の筆記具が用いられる。
【０００４】
しかしながらこれ等のマーカーは、ズボン等のポケットから取り出しにくく、紛失し易く、更には画鋲状形状では、ピンの部分でポケットに孔を開けてしまうといった問題があった。そこでこの点の不都合を解消するべく以下の特許文献で開示されているように、帽子の一部に取り付けることができるようにしたり、他の何点かの小物と共に一体にする、等の工夫がなされている。
【特許文献１】特開平９−４７５３３号公報
【特許文献２】実用新案登録第３１０１４５６号公報
【発明の開示】
【発明が解決しようとする課題】
【０００５】
上記文献のように、マーカーを帽子等に装着しておけば保持し易くて取り出し易く、またマーカーと筆記具とディボットを修正するフォークとを一体化すれば使い易いが、上述したようにホールアウト後にスコアの記載をする一連の流れからすると、保持が確実でありながらも取り出し易く、しかも使い易いようにすることが望ましい。
【０００６】
そして特に主として鉛筆が用いられる筆記具に関しては、スコアカードに挟んでおくことが多いため、脱落し易く、芯の部分で擦れてカードを汚したり、カードごと尻のポケットに入れていると芯が折れ易い等の不都合があったので、これ等の不満を解決する要請がなされていた。
【０００７】
よって本発明は、上記従来の欠点不都合を解消するべく開発されたものであって、マーカーと筆記具を一体に保持できるようにし、取り出し等の使い勝手が便利で、紛失しにくくすることを目的とする。
【課題を解決するための手段】
【０００８】
上記課題を解決するため本発明のゴルフ用具は、帽子の庇等に装着されるブラケットに、マーカーと筆記具とを着脱自在に配したことを特徴とする。
【０００９】
この場合、ブラケット、マーカー、筆記具を相互に磁着させることを特徴とする。
【００１０】
または、ブラケット、マーカー、筆記具を相互に面ファスナーを介して付着させることを特徴とする。
【発明の効果】
【００１１】
よって、一連の動作の中で使用されるマーカーと筆記具は、帽子の庇等の同一箇所に装着されているので取り出し易く、ポケットをまさぐったりして不要な小物（例えばティーペッグ）と共に取り出したり取り落としたりすることもなく、しかも使用後は速やかに所定箇所に簡単に再装着することができる。
【００１２】
また、筆記具も紛失してしまうことはなく、スコアカードに挟む訳ではないので擦れてカードを汚したり、芯が折れてしまうこともない。
【００１３】
筆記具は、マーカーと一体保持させるために磁着させたり面ファスナーによる付着をさせる構造となっているので使い捨てではなく、個人的な保持とならざるを得ないのでゴルフ場で筆記具を設置提供しなければならないといった経費がかからず、無用な廃棄物を生じさせない等、本発明のゴルフ用具は多くの優れた作用効果を奏する。
【発明を実施するための最良の形態】
【００１４】
ブラケット１には、帽子の庇や周縁、更にはズボンの一部等に着脱自在に装着できるようにクリップ２が一体設されている。クリップ２は、コイルバネを介して弾性を付与しても良いし、弾性金属をＵ字形状に湾曲させた構成でも良く、庇等に挟み込んで脱落しないようにする。
【００１５】
ブラケット１にマーカー３や筆記具４を相互に磁着させる場合、何れも磁性体であって、何れか一方の一部にマグネットを一体設するが（図示省略）、砂が付着して磁力が弱まってしまう虞れがあるので、マグネットはブラケット１に埋設装着しておく方がより望ましい。
【実施例１】
【００１６】
図１にあってのブラケット１は、水平板５に垂直板６をＬ字形状に連設した構成で、水平板５の下面にクリップ２が一体設され、水平板５の上面と垂直板６の内面に面ファスナー７が配され、筆記具４の周面に配された面ファスナー（図示省略）が付着して筆記具４をこの水平板５の上面と垂直板６の内面とで保持することができるようになっており、更に垂直板６にマグネットを埋設しておいて外面にマーカー３を磁着させ、保持できるようになっている。
【００１７】
但し、筆記具４の一部に磁性材を巻回しておき、筆記具４を垂直板６に磁着させても良いし、更には、垂直板６の外面にも面ファスナー７を配し、マーカー３の裏面に面ファスナーを配して付着させ、マーカー３を保持できるようにしても良い。
【００１８】
次に図２にあってのブラケット１は、水平板５のみであって、下面にクリップ２が一体設され、水平板５の上面に面ファスナー７が配され、筆記具４の周面に配された面ファスナー８が付着して筆記具４を保持することができるようになっており、更に筆記具４の一部或いはマーカー３にマグネットを配し、マーカー３と筆記具４とが直接に磁着できるようになっている。
【００１９】
この場合も、マーカー３と筆記具４とを面ファスナーで付着させても良いし、或いは水平板５にマグネットを埋設しておいて、筆記具４が磁着する構成としても良い。
【００２０】
尚、図面では省略したが、位置的に余裕があるならば、上記したブラケット１にマーカー３や筆記具４と共に、フォークやティーペッグ等の関連する小物を装着することもできよう。
【００２１】
図３は、本発明にかかるゴルフ用具をキャップに装着する形態を示すもので、（ａ）は庇に、（ｂ）はこめかみ部分に、（ｃ）は後頭部に配しているが、これに限らず、ハットの鍔や、ベレー帽の周縁、更には胸ポケット、ベルト、ズボンの裾等、あらゆる箇所に装着可能なものである。特に女性の場合は、例えば髪飾りとしての効果も期待できる。
【００２２】
また、ブラケット１、マーカー３や筆記具４に装飾を施して購買意欲をそそることもできるし、ゴルフ場やゴルフ用具メーカーの名前を入れることによって宣伝効果を得ることもできる。
【図面の簡単な説明】
【００２３】
【図１】（ａ）はブラケットにマーカーや筆記具を装着した状態を示す正面図、（ｂ）はブラケットにマーカーを装着した状態を示す斜視図である。
【図２】（ａ）はブラケットにマーカーや筆記具を装着した状態の他の実施例を示す正面図、（ｂ）はブラケットの斜視図である。
【図３】キャップに本発明のゴルフ用具を装着した状態を示す斜視図である。
【符号の説明】
【００２４】
１  ブラケット
２  クリップ
３  マーカー
４  筆記具
５  水平板
６  垂直板
７  面ファスナー
【図１】
2006167012.tif 000003
【図２】
2006167012.tif 000004
【図３】
2006167012.tif 000005